(57)【要約】      （修正有）【課題】生産性に優れた防塵フィルターを提供する。【解決手段】外気と被仕切り物とを仕切る仕切り部材ｗに設けられた外気取入口５に設置されるフィルターであって、長尺のフィルター用シート１３が巻取軸１５に巻き取られて成る巻取体７と、前記巻取体７を収納して前記仕切り部材ｗに取り付けられ、収納された該フィルター用シート１３の幅方向に形成された細長開口を有するケーシング９と、前記細長開口を通じて引き出されて前記外気取付口５を覆う前記フィルター用シート１３を前記仕切り部材ｗに固定する固定手段１１とを備え、前記フィルター用シート１３の幅寸法と巻取軸１５の軸長さが等しいことを特徴とする防塵フィルター１。【選択図】図１
0003186179.tif 000002
【実用新案登録請求の範囲】
【請求項１】
外気と被仕切り物とを仕切る仕切り部材に設けられた外気取入口に設置されるフィルターであって、
長尺のフィルター用シートが巻取軸に巻き取られて成る巻取体と、
前記巻取体を収納して前記仕切り部材に取り付けられ、収納された該フィルター用シートの幅方向に形成された細長開口を有するケーシングと、
前記細長開口を通じて引き出されて前記外気取付口を覆う前記フィルター用シートを前記仕切り部材に固定する固定手段と、
を備え、
前記フィルター用シートの幅寸法と巻取軸の軸長さが等しいことを特徴とする防塵フィルター。
【請求項２】
前記巻取軸は、その両端部に取り付けられた支持部材を介して前記ケーシングの対向壁間に軸架されたことを特徴とする請求項１に記載の防塵フィルター。
【請求項３】
前記支持部材は、前記ケーシングを貫通して、該ケーシングから突出する被把持部を有する請求項２に記載の防塵フィルター。
【請求項４】
前記ケーシングは、
フィルター用シートを収容するケーシング本体と、
前記ケーシング本体を覆って蓋をする蓋体と、を備え、
前記細長開口は、前記ケーシング本体と前記蓋体との境目に形成されたことを特徴とする請求項１から請求項３のいずれかに記載の防塵フィルター。
【請求項５】
前記ケーシングは一体成型により形成されたことを特徴とする請求項１から請求項４のいずれかに記載の防塵フィルター。
【考案の詳細な説明】
【技術分野】
【０００１】
本考案は防塵フィルターに関するものである。
【背景技術】
【０００２】
制御盤等に設けられた外気取入口からの粉塵の進入を防止するフィルターが特許文献１に記載されている。この防塵フィルターは、細長開口が形成され、外気取入口の周辺に取り付けられるケーシングと、両端部がケーシングから突出するようにケーシングに挿通される巻取軸と、この巻取軸に巻き取られ、前記ケーシングに収納されるフィルター用シートと、細長開口から引き出されて制御盤の外気取入口に被せられたフィルター用シートを制御盤等に固定する長尺磁石板とを備えている。
【０００３】
この防塵フィルターは、ケーシングから突出した巻取軸を回すことにより、余分に引き出されたフィルター用シートを巻き取って、フィルター用シートの無駄遣いを防止できる。
【０００４】
しかしながら、ケーシングから突出する巻取軸は、ケーシングに収納されるフィルター用シート幅よりも長く設ける必要があり、このためフィルター用シートをロール状に形成するには、一の巻取軸に対してこれよりも幅狭の一のフィルター用シートを巻き付けて得る、いわゆる一丁取りで作られていた。そのため、この防塵フィルターの生産性は高いとは言えなかった。
【先行技術文献】
【特許文献】
【０００５】
【特許文献１】実用新案登録第３０９９６３６号公報
【考案の概要】
【考案が解決しようとする課題】
【０００６】
本考案は、生産性に優れた防塵フィルターを提供することを目的とする。
【課題を解決するための手段】
【０００７】
本考案の防塵フィルターは、外気と被仕切り物とを仕切る仕切り部材に設けられた外気取入口に設置されるフィルターであって、
長尺のフィルター用シートが巻取軸に巻き取られて成る巻取体と、前記巻取体を収納して前記仕切り部材に取り付けられ、収納された該フィルター用シートの幅方向に形成された細長開口を有するケーシングと、前記細長開口を通じて引き出されて前記外気取付口を覆う前記フィルター用シートを前記仕切り部材に固定する固定手段とを備え、前記フィルター用シートの幅寸法と巻取軸の軸長さが等しいことを特徴とする。
【０００８】
また、本考案の防塵フィルターは、前記巻取軸が、その両端部に取り付けられた支持部材を介して前記ケーシング対向壁間に軸架されたことを特徴とする。
【０００９】
さらに、本考案の防塵フィルターは、前記支持部材が、前記ケーシングを貫通して、該ケーシングから突出する被把持部を有することを特徴とする。
【００１０】
また、本考案の防塵フィルターは、前記ケーシングが、フィルター用シートを収容するケーシング本体と、前記ケーシング本体を覆って蓋をする蓋体と、を備え、
前記細長開口は、前記ケーシング本体と前記蓋体の境目に形成されたことを特徴とする。
【００１１】
また、本考案の防塵フィルターは、前記ケーシングが一体成型により形成されたことを特徴とする。
【考案の効果】
【００１２】
本考案の防塵フィルターは、巻取軸の軸長さをフィルター用シート幅と略等しく形成している。これにより、一の長尺の巻取軸に一の幅広のフィルター用シートを巻き付けて、これを所定幅に分割して複数の巻取体を得る、いわゆる多丁取りが可能となり、防塵フィルターの生産性を高めることができる。
【図面の簡単な説明】
【００１３】
【図１】実施例１の防塵フィルターの使用状態を示す正面図である。
【図２】図１におけるA−A断面図である。
【図３】実施例１のケーシングを示す斜視図である。
【図４】実施例２の防塵フィルターの斜視図である。
【図５】実施例２のケーシングの側壁の他の態様を示す斜視図である。
【図６】（ａ）実施例２の他のケーシングの一部を示す斜視図である。（ｂ）図６（ａ）に示すケーシングの側壁の略図である。
【図７】（ａ）実施例２のさらに他のケーシングの一部を示す斜視図である。（ｂ）図７（ａ）に示すケーシングの側壁の略図である。
【図８】（ａ）実施例３の防塵フィルターの使用状態を示す一部断面図である。（ｂ）実施例３のさらに他の防塵フィルターの使用状態を示す一部断面図である。
【図９】（ａ）実施例４の防塵フィルターを示す底面図である。（ｂ）図９（ａ）におけるＢ−Ｂ断面図である。
【考案を実施するための形態】
【００１４】
本考案の防塵フィルターを説明する。なお、本明細書において、各図にわたって示される同じ符号は同一または同様の部材や物を示す。
【実施例１】
【００１５】
本考案の防塵フィルター1は、図１及び図２に示すように、外気と被仕切り物とを仕切る仕切り部材wに取り付けられ、通気孔3を有する外気取入口5に設置される。例えば、防塵フィルター1は制御盤に用いられ、その内部の計器類やスイッチ類等を冷却するために設けられた壁面の外気取入口5に設置される。この防塵フィルター1は、巻取体7と、ケーシング9と、固定手段11を備える。
【００１６】
巻取体7は、長尺のフィルター用シート13が巻取軸15に巻き取られて成るものである。
【００１７】
巻取体7のフィルター用シート13は、天然繊維及び／又は合成繊維から成る長尺の不織布等のフィルター材である。フィルター用シート13の幅寸法は、外気取入口5に形成された通気孔3を覆うように適宜定められる。取換時の切り離しを容易に行うため、フィルター用シート13には、予めその幅方向に横切る複数のミシン目（不図示）を設けておくことが好ましい。ミシン目同士の間隔は、防塵フィルター1が設置される外気取入口5の寸法に応じて適宜定められる。また、外気取入口5の寸法に関わらず、任意の寸法で切り離しを行えるよう、カッターを後述するケーシング9に設けても良い。このカッターは、例えば、ケーシング9の細長開口63の長手の縁に沿って形成された鋸状刃であっても良い。
【００１８】
巻取体7の巻取軸15は、長尺のフィルター用シート13をロール状に巻き取るものである。この巻取軸15は、細長の筒体、棒状体等であり、その長さはフィルター用シート13の幅寸法と略等しい。巻取軸15は、その両端部に支持部材17a,17bが取り付けられ、この支持部材17a,17bを介して後述するケーシング9の両側壁19の間に軸架される。
【００１９】
支持部材17a,17bは、巻取軸15の両端部に取り付けられ、ケーシング9の側壁19に軸支される。この支持部材17a,17bは円柱状であり、巻取軸15と同軸に取り付けられる。この支持部材17a,17bは、取付部21と、円柱部23を有する。
【００２０】
支持部材17a,17bの取付部21は、巻取軸15の端部に形成された取付孔25に挿着される。取付部21の取付方法は、特に限定されず、例えば取付部21を取付孔25に圧入する方法、取付部21におねじを形成して取付孔25に螺合する方法等を用いることができる。取付部21の形状は、円柱状に限られず、角柱状であっても良い。
【００２１】
支持部材17a,17bの円柱部23は、取付部21に連設され、その周面が後述するケーシング9の側壁19に軸支される。
【００２２】
また、支持部材17bは、円柱部23に連設されてケーシング9から突出する被把持部27を備えている。被把持部27の形状は特に限定されず、例えば、円柱状、多角柱状のものが用いられる。使用者はこの被把持部27を操作して巻取軸15を回転させる。これにより、余分に引き出されたフィルター用シート13を巻き取り、フィルター用シート13を節約できる。この被把持部27は、一の支持部材17bだけでなく他の支持部材17aに設けても良い。また、把持する際の滑り止めとして、被把持部27の周面に複数の溝が形成されてもよい。
【００２３】
ケーシング9は、図１から図３に示すように、巻取体7を収納し、仕切り部材wに取り付けられる。ケーシング9は、巻取軸15に直交する断面の形状が、四角筒状、半円筒状、又は他の多角筒状に形成される。ケーシング9は、ポリプロピレン、ポリエチレンなどの適宜なプラスチックを用い、圧縮成形、真空成形などの一体成形により作られる。このケーシング9は、巻取体7を収容するケーシング本体29と、このケーシング本体29に蓋をする蓋体31から成り、フィルター用シート13を引き出す細長開口63を有し、蓋体31に設けられた取付部材67により仕切り部材wに取り付けられる。
【００２４】
ケーシング本体29は、図３に示すように、巻取体7を収容する収容部33と、蓋体31と嵌合する嵌合部35と、フランジ部37から構成されている。
【００２５】
ケーシング本体29の収容部33は、巻取体7を入れる矩形開口39と、この矩形開口39の長手縁部に連設されて巻取体7の周面の周りに形成された周壁41と、矩形開口39の短手縁部に連設されて巻取体7の端面に対向する側壁19とから構成される。側壁19には支持部材17a,17bの円柱部23を軸支する軸支部43が形成されている。この軸支部43としては、例えば側壁19の内側に形成された凹部、溝部、又は側壁19を貫通する貫通孔45である。
【００２６】
ケーシング本体29の嵌合部35は、矩形開口39の縁部全周にわたってケーシング本体29の外方に折り曲げられた段部47と、この段部47から蓋体31側に立ち上がり、後述する蓋体31の突起49と係合する凹部51が形成された立ち上り部53とから構成されている。
【００２７】
フランジ部37は、嵌合部35に連設され、ケーシング本体29の外方に延出して形成されている。
【００２８】
蓋体31は、ケーシング本体29の矩形開口39を覆い、嵌合部35の内側壁面に嵌合する。この蓋体31は、ケーシング本体29の矩形開口39を覆う矩形基部55と、矩形基部55の周縁からケーシング本体29の段部47に向かって形成された凸部57と、凸部57に連設されて蓋体31の外側に延出するフランジ部59とから構成される。凸部57の外側周面には嵌合部35の凹部51と係合する突起49が形成されている。この蓋体31は、折り曲げ部61を介してケーシング本体29に連設されている。
【００２９】
このケーシング9は、蓋体31がケーシング本体29に嵌合した状態において、蓋体31の凸部57の先端がケーシング本体29の段部47に当接し、蓋体31の凸部57の外側周面がケーシング本体29の立ち上り部53と内接し、蓋体31の突起49がケーシング本体29の凹部51に係止され、両体のフランジ部37,59が重なる。両体のフランジ部37,59が重なることにより、収容部33への粉塵の進入を防止し、フィルター用シート13の汚れを防止している。
【００３０】
ケーシング9の細長開口63は、収納された巻取体7の幅方向に細長く形成された開口である。この細長開口63は、例えば、図２及び図３に示すように、ケーシング本体29と蓋体31との境目に形成される。詳しくは、ケーシング本体29のフランジ部37と蓋体31のフランジ部59の長手の重なり部分に形成される。ケーシング本体29又は蓋体31のいずれか一方のフランジ部（例えばフランジ部37a）が他方のフランジ部（例えばフランジ部59）とは逆側に凹まされることにより、フランジ部37a,59の重なり部分に細長開口63が形成される。また、巻取体7から細長開口63に向かうまでのケーシング本体29の嵌合部35と蓋体31の凸部57の間には隙間65が形成され、この隙間65を通じてフィルター用シート13が細長開口63から引き出される。図２に示すように、フィルター用シート13は、嵌合部35と凸部57で生じる摩擦により、不意に引き出されることが防止される。なお、この細長開口63の形成位置は、ケーシング本体29と蓋体31との境目に限られず、ケーシング本体29の周壁41に形成されてもよい。
【００３１】
ケーシング9の取付部材67は、図１及び図２に示すように、ケーシング9を仕切り部材wに取り付けるものであり、仕切り部材wに対向して配置されるケーシング9の蓋体31に設けられている。この取付部材67は、例えば、一面がケーシング9の蓋体31に貼着された長尺磁石板であり、その他面が鉄製の仕切り部材wの外気取入口5の上方に着脱自在に取り付けられる。また、取付部材67は、磁気による被仕切り部材への影響を防止するため、磁気を帯びていない取付部材67を用いてもよい。この様な取付部材67としては、例えば、両面テープや、ケーシング9の蓋体31に貼り付けられたフックテープと、仕切り部材wに貼り付けられたループテープから成る面ファスナ等を用いることができる。
【００３２】
固定手段11は、図１及び図２に示すように、外気取入口5に被せられたフィルター用シート13を仕切り部材wに固定するものである。鉄製の仕切り部材wに用いる固定手段11としては、例えば、引き出されたフィルター用シート13を外気取入口5よりも上流側及び下流側で固定する磁石板が挙げられる。この磁石板はフィルター用シート13を介して仕切り部材wに吸着される。これにより、フィルター用シート13は、仕切り部材wと、この仕切り部材wに吸着される磁石板によって挟持される。磁石板としては、代表的には長尺のラバーマグネットを用いることができる。フィルター用シート13の密着性を高めるため、この磁石板は、フィルター用シート13の幅よりも長尺のものが好ましい。磁石板の形状は、図示した長方形に限定されず、外気取入口5の形状に合わせて適宜定められる。例えば、円形の外気取入口5の外形に沿う曲部を備える磁石板でもよい。これにより、外気取入口5の縁部とフィルター用シート13との隙間を少なくして、粉塵の進入を防止できる。
【００３３】
また、磁気による被仕切り部材（内部装置）への影響を防止するために、磁気を帯びていない固定手段11を用いても良い。この様な固定手段11としては、例えば、一面が釣針状のパイルによって引掛かり機能を有し、他面が仕切り部材wに接着されるフックテープを用いることができる。このフックテープのパイルがフィルター用シート13の繊維間空隙に進入し繊維と絡んでフィルター用シート13を保持することができる。また、外気を吸引する通気孔3の吸引力と相俟って、フィルター用シート13が外れることがない。
【００３４】
本考案の防塵フィルター1は、フィルター用シート13を収納したケーシング9が仕切り部材w上に設置される。そして、フィルター用シート13が、細長開口63を通じて引き出され、通気孔3を覆うように外気取入口5に被せられる。このフィルター用シート13は固定手段11により仕切り部材wに固定される。この様に設置された防塵フィルター1は、外気取入口5の通気孔3からの粉塵の進入を防止する。粉塵を吸着して汚れたフィルター用シート13は、外気取入口5に被せられていた部分が切り離されて仕切り部材wから取り除かれる。そして新たに引き出されたフィルター用シート13が通気孔3を覆うように仕切り部材wに固定される。
【００３５】
ここで、巻取体7は次のように製造される。先ず、長尺の巻取軸と、幅広のフィルター用シートが準備される。この幅広のフィルター用シートが長尺の巻取軸に巻き取られ、幅広の巻取体が形成される。この幅広の巻取体は、ケーシング9に収納し得る幅寸法で複数に分割される。これにより巻取体7が形成される。
【００３６】
本考案の防塵フィルター1は、巻取軸15の軸長さをフィルター用シート13幅と略等しく形成している。これにより、一の長尺の巻取軸15に一の幅広のフィルター用シート13を巻き付けて、これを所定幅に分割して複数の巻取体7を得る、いわゆる多丁取りが可能となり、防塵フィルター1の生産性を高めることができる。
【００３７】
また、使用者は、巻取軸15に取り付けられた支持部材17bの被把持部27を操作して、余分に引き出したフィルター用シート13を巻き取ることができる。このため、フィルター用シート13の無駄を防止することができる。
【実施例２】
【００３８】
本考案の防塵フィルターは、図４に示すケーシング9aと巻取体7を備えた防塵フィルター10であっても良い。このケーシング9aは、軸支部、嵌合部、凸部及びフランジ部を備えておらず、巻取体7は支持部材により軸架されずにケーシング9aに収納される。ケーシング9aは、直方体形状であり、収納された巻取体7の端面に対向する側壁19a及び巻取体7の周面の周りに形成された周壁41aとから構成される。側壁19aは、開閉可能なフラップであり、この側壁19aを開けて巻取体7が収納される。周壁41aは、巻取体7の幅方向に形成された細長開口63aと、ケーシング9aを仕切り部材wに取り付ける取付部材67を備えている。この細長開口63aは、例えば、外気取入口5に対向する下壁69aに形成される。取付部材67は、仕切り部材に対向する背壁71aに設けられる。
【００３９】
本実施例の防塵フィルター10は、図５に示すように、余分に引き出されたフィルター用シート13を巻き戻す為に、側壁19aに挿入孔73が形成されたケーシング9aと、この挿入孔73を通じて巻取軸15の取付孔25に挿着されてケーシング9aから突出する被把持部材75とを備えても良い。
【００４０】
ケーシング9aの挿入孔73は、ケーシング9aの一方又は両方の側壁19aに形成される。この挿入孔73の形状は、被把持部材75の一端部が挿入可能であれば特に限定されないが、ケーシング9a内で巻取体7の姿勢が傾いてフィルター用シート13の引き出しが困難となることを防止するため、図５に示すように、長孔状に形成され、この長径方向が側壁19aの中心部から細長開口63aに向かって形成されたものが好ましい。また、この孔形状は直線状に限られず、湾曲したものであっても良い。
【００４１】
被把持部材75は、巻取軸15の端部に挿着される取付部77と、ケーシング9aから突出する被把持部79とから構成される。この取付部77は、ケーシング9aの挿入孔73を貫通して巻取軸15の取付孔25に挿着される。取付部77は、着脱可能であっても良い。被把持部79は、取付部77に連設している。その形状は特に限定されず、円柱状、多角柱状のものが用いられる。
【００４２】
使用者は、被把持部材75を操作して余分に引き出されたフィルター用シート13を巻き戻すことができる。
【００４３】
また、ケーシング9aに設けられた挿入孔73が長孔状であるため、フィルター用シート13の巻き径が縮小するにつれて、被把持部材75が挿入孔73内を細長開口63aに向かって移動する。このため、巻取体7の姿勢は細長開口63aに対して平行に維持され、フィルター用シート13をスムーズに引き出せる。
【００４４】
また、本実施例のケーシング9aは、図６及び図７に示す形状であっても良い。図６（a）に示すケーシング9bは、巻取軸15に直交する断面が台形の四角筒形状の周壁41bと、巻取体7の端面に対向する台形の側壁19bとから構成される。このケーシング9bの取付部材67は両側壁19bの底辺87に挟まれたケーシング9bの背壁71bに設けられている。また、ケーシング9bの細長開口63bは両側壁19bの一の斜辺89に挟まれたケーシング9bの下壁69bに形成されている。ケーシング9bの挿入孔73は側壁19bに形成されている。この挿入孔73は長孔状であり、その長径方向が側壁19bの中心部から細長開口63bに向かって形成されている。この挿入孔73は、図６（ｂ）に示すように、その側壁19bの底辺87に対して、細長開口63b側の底角θ1の１／２の角度θ２で傾斜するように形成されている。このケーシング9bは、使用に伴って巻き径が縮小する巻取体7を下壁69bと背壁71bの２つの壁で支持している。
【００４５】
また、図７（ａ）のケーシング9cは、巻取軸15に直交する断面が半円筒形状の周壁41cと、巻取体7の端面に対向する略半円の側壁19cとから構成される。このケーシング9cの取付部材67は平坦な背壁71cに設けられている。ケーシング9cの細長開口63cは弧状壁81の外気取入口5側に形成されている。ケーシング9cの挿入孔73は、図７（ｂ）に示すように、弧状壁81と背壁71cの２つの壁で支持される巻取体7の巻取軸15が通る軌道に沿って形成されている。
【００４６】
図６及び図７に示すケーシング9b,9cは、上記２つの壁で巻取体7の周面を支持する。このため、巻取体7の姿勢は常に安定するので、フィルター用シート13の引き出しが容易である。また、２壁で支持されるため、不意に巻取体7が回転してフィルター用シート13が引き出されることがない。
【実施例３】
【００４７】
また、本考案の防塵フィルターは、図８に示すように、ケーシング9aの細長開口63aを開閉可能に覆う細長のシーリングシート83を備えたものであっても良い。このシーリングシート83（図８（ａ））は、少なくとも細長開口63aと同じ長さであり、細長開口63aよりも幅広であり、可撓性を有し、一方の長手端部84が細長開口63aの長手縁部85aに接合されている。このようなシーリングシート83としては、例えば、細長開口63aの一方の長手縁部85aに接着剤等で接着された細長のゴム製シートが用いられる。これにより、細長開口63aはシーリングシート83の他方の長手端部側において、開閉可能となり、フィルター用シート13が引き出される。
【００４８】
この防塵フィルターは、このシーリングシート83がケーシング9aの細長開口63aを覆い、ケーシング9a内への粉塵の進入を防止する。このため、ケーシング9a内のフィルター用シート13の汚れ、劣化を防止することができる。
【００４９】
このシーリングシート83は、例えば、図８（ｂ）に示すように、細長開口63aの一方の長手縁部85aに接合された一のシーリングシート83aと、細長開口63aの他方の長手縁部85bに接合された他のシーリングシート83bから構成されたものであってもよい。両シーリングシート83a,83bは細長開口63aの長手方向中心線上で互いに当接する。両シーリングシート83a,83bの境目からフィルター用シート13を引き出すことができる。
【００５０】
さらに、ケーシングの側壁に形成された挿入孔を開閉可能に覆うシーリングシートを設けても良い。このシーリングシートは、例えば挿入孔の縁の一部に接着される。これにより挿入孔からの粉塵の進入を防止できる。挿入孔が長孔状である場合には、効果的に粉塵の進入を防止できる。
【実施例４】
【００５１】
また、本考案の防塵フィルターは、被把持部材75の被把持部79が、挿入孔73の周縁の側壁19aに当接するものであっても良い。この被把持部79は、例えば図９（ｂ）に示すように、挿入孔73の孔幅よりも太い円柱状である。この被把持部材75を取り付けた巻取体7は、被把持部79が側壁19aに当接するためケーシング9a内で位置決めされる。
【００５２】
この被把持部79を備えた防塵フィルターは、図９（ａ）に示すように、ケーシング9aの長手寸法よりも幅狭の種々の幅寸法（W1,W2,W3）のフィルター用シート13を使用できる。このため、フィルター用シート13の幅毎にケーシング9aを準備する必要がなく、単一の寸法のケーシング9aを用いることができる。よって、ケーシング9aの打抜用金型、プレス成形用金型等の製造コストを削減できる。また、この被把持部79の形状は円柱状に限定されず、多角柱形状、球形状であってもよい。
【００５３】
以上、本考案の防塵フィルターについて説明したが、本考案はその趣旨を逸脱しない範囲で、当業者の知識に基づき種々の改良、修正、変形を加えた態様で実施し得るものであり、これらの態様はいずれも本考案の範囲に属するものである。
【００５４】
例えば、フィルター用シートの磁石板による固定位置は、図１に示した外気取入口の上方及び下方に限定されず、例えば、外気取入口の側方においてフィルター用シートの幅方向の両端部が固定されてもよい。
【００５５】
また、板面が巻取体の端面に密接したガイド板を設けても良い。このガイド板は、外周が巻取体の端面の外周と略一致する円状の薄板である。そして、ガイド板は、その板面が、支持部材又は被把持部材により、巻取体の端面に押し付けられて保持される。この防塵フィルターは、余分に出したフィルター用シートを巻き戻す際、ガイド板に沿ってフィルター用シートが巻き戻される。このため、巻き取ったフィルター用シートが偏ることを防止できる。
【符号の説明】
【００５６】
1,10  …  防塵フィルター
3  …  通気孔
5  …  外気取入口
7  …  巻取体
9,9a,9b,9c  …  ケーシング
11  …  固定手段
13  …  フィルター用シート
15  …  巻取軸
17a,17b      …  支持部材
19,19a,19b,19c  …  側壁
21  …  取付部
23  …  円柱部
25  …  取付孔
27  …  被把持部
29  …  ケーシング本体
31  …  蓋体
33  …  収容部
35  …  嵌合部
37,37a  …  ケーシング本体のフランジ部
39  …  矩形開口
41,41a,41b,41c  …  周壁
43  …  軸支部
45  …  貫通孔
47  …  段部
49  …  突起
51  …  凹部
53  …  立ち上り部
55  …  矩形基部
57  …  凸部
59  …  蓋体のフランジ部
61  …  折り曲げ部
63,63a,63b,63c  …  細長開口
65  …  隙間
67  …  取付部材
69a,69b  …  下壁
71a,71b,71c  …  背壁
73  …  挿入孔
75  …  被把持部材
77  …  取付部
79  …  被把持部
81  …  弧状壁
83,83a,83b  …  シーリングシート
84  …  シーリングシートの長手端部
85a,85b  …  長手縁部
87  …  底辺
89  …  斜辺
ｗ  …  仕切り部材
【図１】
0003186179.tif 000003
【図２】
0003186179.tif 000004
【図３】
0003186179.tif 000005
【図４】
0003186179.tif 000006
【図５】
0003186179.tif 000007
【図６】
0003186179.tif 000008
【図７】
0003186179.tif 000009
【図８】
0003186179.tif 000010
【図９】
0003186179.tif 000011